(57)【特許請求の範囲】
【請求項１】
衛星信号を受信する受信部と、
駆動電力を供給する電源部と、
前記電源部の電池残量を検出する電池残量検出部と、
温度を検出する温度検出部と、
前記衛星信号の受信指示を行う受信指示部と、
前記受信指示部の指示に応じて前記衛星信号を受信する受信処理を実行する受信制御部と、を備え、
前記受信制御部は、
前記電池残量検出部で検出された前記電池残量が、前記温度検出部で検出された前記温度に対して設定された閾値以上の場合は、前記受信処理を実行し、
前記電池残量が、前記閾値未満の場合は、前記受信処理を実行しない
ことを特徴とする電子時計。
【請求項２】
請求項１に記載の電子時計において、
前記受信制御部は、前記受信指示部の指示に基づいて、前記衛星信号に基づいて時刻情報を取得する測時受信処理と、前記衛星信号に基づいて位置情報を算出する測位受信処理とを実行可能であり、
前記受信指示部によって前記測位受信処理が指示された場合は、前記電池残量検出部で検出された前記電池残量が、前記温度検出部で検出された前記温度に対して前記測位受信処理用として設定された第１閾値以上の場合は、前記測位受信処理を実行し、前記第１閾値未満の場合は、前記測位受信処理を実行せず、
前記受信指示部によって前記測時受信処理が指示された場合は、前記電池残量が、前記温度に対して前記測時受信処理用として設定された第２閾値以上の場合は、前記測時受信処理を実行し、前記第２閾値未満の場合は、前記測時受信処理を実行せず、
前記第１閾値は前記第２閾値よりも高い値である
ことを特徴とする電子時計。
【請求項３】
請求項１または請求項２に記載の電子時計において、
前記受信処理の実行中は、受信中であることを表示し、
前記受信処理が許可されない場合は、受信禁止状態であることを表示する受信状態表示部を備える
ことを特徴とする電子時計。
【請求項４】
請求項１から請求項３のいずれか一項に記載の電子時計において、
温度と閾値とを対応付けた温度閾値情報が記憶された記憶部を備え、
前記受信制御部は、前記温度検出部で検出された前記温度と、前記温度閾値情報とに基づいて検出した前記温度に対応する閾値を取得し、前記電池残量と前記閾値を比較して受信制御を行う
ことを特徴とする電子時計。
【請求項５】
衛星信号を受信する受信部と、
駆動電力を供給する電源部と、
前記電源部の電池残量を検出する電池残量検出部と、
温度を検出する温度検出部と、
前記電池残量および前記温度に応じた状態情報を表示する状態情報表示部と、
前記衛星信号を受信する受信処理を実行する受信制御部と、
前記電池残量検出部で検出された前記電池残量、および前記温度検出部で検出された前記温度に応じた前記状態情報を前記状態情報表示部に表示させる表示制御部と、を備える
ことを特徴とする電子時計。
【請求項６】
請求項５に記載の電子時計において、
前記状態情報は、前記受信処理の実施が許可される状態である受信許可状態情報と、前記受信処理が禁止される状態である受信禁止状態情報と、を含み、
前記表示制御部は、
前記電池残量検出部で検出された前記電池残量が、前記温度検出部で検出された前記温度に対して設定された閾値以上の場合は、前記状態情報表示部に前記受信許可状態情報を表示させ、
前記電池残量が前記閾値未満の場合は、前記状態情報表示部に前記受信禁止状態情報を表示させる
ことを特徴とする電子時計。
【請求項７】
請求項６に記載の電子時計において、
前記受信制御部は、前記衛星信号に基づいて時刻情報を取得する測時受信処理と、前記衛星信号に基づいて位置情報を算出する測位受信処理とを実行可能であり、
前記受信許可状態情報は、前記測位受信処理が許可される測位許可状態情報と、前記測時受信処理が許可される測時許可状態情報と、を含み、
前記表示制御部は、
前記電池残量検出部で検出された前記電池残量が、前記温度検出部で検出された前記温度に対して前記測位受信処理用として設定された第１閾値以上の場合は、前記測位許可状態情報を表示させ、
前記電池残量が、前記第１閾値未満、かつ、前記温度に対して前記測時受信処理用として設定された第２閾値以上の場合は、前記測時許可状態情報を表示させ、
前記電池残量が、前記第２閾値未満の場合は、前記受信禁止状態情報を表示させる
ことを特徴とする電子時計。
【請求項８】
衛星信号を受信する受信部と、
駆動電力を供給する電源部と、
前記電源部の電池残量を検出する電池残量検出部と、
温度を検出する温度検出部と、
前記衛星信号の受信指示を行う受信指示部と、
前記受信指示部の指示に応じて前記衛星信号を受信する受信処理を実行する受信制御部と、を備える電子時計の制御方法であって、
前記温度検出部が、前記温度を検出するステップと、
前記電池残量検出部が、前記電池残量を検出するステップと、
前記受信制御部が、前記電池残量検出部で検出された前記電池残量が、前記温度検出部で検出された前記温度に対して設定された閾値以上の場合は、前記受信処理を実行し、前記電池残量が、前記閾値未満の場合は、前記受信処理を実行しないステップと、を実施する
ことを特徴とする電子時計の制御方法。
【請求項９】
衛星信号を受信する受信部と、
駆動電力を供給する電源部と、
前記電源部の電池残量を検出する電池残量検出部と、
温度を検出する温度検出部と、
前記電池残量および前記温度に応じた状態情報を表示する状態情報表示部と、
前記衛星信号を受信する受信処理を実行する受信制御部と、
前記電池残量検出部で検出された前記電池残量、および前記温度検出部で検出された前記温度に応じた前記状態情報を前記状態情報表示部に表示させる表示制御部と、を備える電子時計の制御方法であって、
前記温度検出部が、前記温度を検出するステップと、
前記電池残量検出部が、前記電池残量を検出するステップと、
前記表示制御部が、前記温度検出部で検出された前記温度、および前記電池残量検出部で検出された前記電池残量に応じた前記状態情報を前記状態情報表示部に表示させるステップと、を実施する
ことを特徴とする電子時計の制御方法。
【発明の詳細な説明】
【技術分野】
【０００１】
本発明は、例えばＧＰＳ衛星等の位置情報衛星からの信号に基づいて時刻修正を行う電子時計および電子時計の制御方法に関するものである。
【背景技術】
【０００２】
ＧＰＳ（Global Positioning System）等の位置情報衛星から送信される電波を受信する電子時計において、電源電圧が所定電圧より大きい場合に受信処理を行う電子時計が知られている（特許文献１の図１１参照）。
この電子時計では、複数の位置情報衛星から衛星信号を受信する測位受信処理を行う場合に、最初に電源電圧が所定電圧よりも大きいかを判定し、１〜３分程度の受信処理が可能であるかを判定している。そして、電源電圧が所定電圧よりも大きい場合には、複数の位置情報衛星から衛星信号を受信し、受信した衛星信号に基づいて時刻情報および位置情報を求める測位受信処理を実行する。また、電源電圧が所定電圧以下の場合は、受信処理を終了していた。
【先行技術文献】
【特許文献】
【０００３】
【特許文献１】特開２００９−１６８６２０号公報
【発明の概要】
【発明が解決しようとする課題】
【０００４】
ところで、前記所定電圧は、予め設定された値であるため、この所定電圧と電源電圧とを比較して受信処理を制御する場合は、以下のような課題があった。
すなわち、電源として用いられる電池は、温度が低下すると電源の内部抵抗が上昇し、衛星信号を受信する受信処理を実施した際の電圧降下量が増大する。このため、前記所定電圧は、使用が想定される温度範囲の下限値（例えば−１０℃）に対応して設定する必要がある。この場合、前記下限値近辺の低温環境で測位受信処理を行っても、受信処理時の電源電圧の低下によって制御用ＩＣなどがシステムダウンすることを防止できる。
【０００５】
しかしながら、前記低温域よりも高い温度域では、前記低温域の場合と比べて受信処理による電圧降下量が小さいため、前記所定電圧を、より低い値に設定できるにも関わらず、低温領域でもシステムダウンを防止可能な値に前記所定電圧が設定されている。従って、電源電圧が、現在の温度に対して、受信処理を実行可能な値であったとしても、前記所定電圧以下の場合には、受信処理を実行することができなかった。
このため、時刻情報を取得して内部時刻を修正する機会が低下し、正しい時刻表示が行えない場合があった。
【０００６】
本発明の目的は、電圧低下によるシステムダウンを防止でき、かつ、時刻情報を取得する機会を増やすことができる電子時計および電子時計の制御方法を提供することにある。
【課題を解決するための手段】
【０００７】
本発明の電子時計は、衛星信号を受信する受信部と、駆動電力を供給する電源部と、前記電源部の電池残量を検出する電池残量検出部と、温度を検出する温度検出部と、前記衛星信号の受信指示を行う受信指示部と、前記受信指示部の指示に応じて前記衛星信号を受信する受信処理を実行する受信制御部と、を備え、前記受信制御部は、前記電池残量検出部で検出された前記電池残量が、前記温度検出部で検出された前記温度に対して設定された閾値以上の場合は、前記受信処理を実行し、前記電池残量が、前記閾値未満の場合は、前記受信処理を実行しないことを特徴とする。
【０００８】
ここで、受信処理としては、時刻情報を取得するために位置情報衛星から衛星信号を受信する時刻受信処理や、測位情報を算出するために複数の位置衛星から衛星信号を受信する測位受信処理を例示できる。
また、閾値は、受信処理を行っても、電池電圧が電子時計の制御用ＩＣ等の最低動作電圧を下回ることがないように設定される閾値であり、温度によって電池の内部抵抗が変化して電圧降下量も変化するため、前記閾値は温度に応じて設定される。
【０００９】
本発明の電子時計において、受信制御部は、電池残量検出部で検出された電池残量が、温度検出部で検出された温度に対して設定された閾値以上の場合は、受信処理を実行し、閾値未満の場合は、受信処理を実行しない。すなわち、受信制御部は、温度に応じて設定された閾値に基づいて、受信処理を実行するか否かを判定している。
このような構成では、温度の低下に応じて受信処理による電圧降下量が増大することを考慮して、受信処理を許可する閾値を温度に応じて設定するため、温度が変化した場合でもシステムダウンを確実に防止できる。
また、例えば、想定される使用温度範囲の低温域でもシステムダウンを防止可能な所定の閾値が設定されている場合と比べて、当該低温域よりも高い温度域等、温度によって閾値をより低い値に設定することができるため、受信機会を増やすことができる。
【００１０】
本発明の電子時計において、前記受信制御部は、前記受信指示部の指示に基づいて、前記衛星信号に基づいて時刻情報を取得する測時受信処理と、前記衛星信号に基づいて位置情報を算出する測位受信処理とを実行可能であり、前記受信指示部によって前記測位受信処理が指示された場合は、前記電池残量検出部で検出された前記電池残量が、前記温度検出部で検出された前記温度に対して前記測位受信処理用として設定された第１閾値以上の場合は、前記測位受信処理を実行し、前記第１閾値未満の場合は、前記測位受信処理を実行せず、前記受信指示部によって前記測時受信処理が指示された場合は、前記電池残量が、前記温度に対して前記測時受信処理用として設定された第２閾値以上の場合は、前記測時受信処理を実行し、前記第２閾値未満の場合は、前記測時受信処理を実行せず、前記第１閾値は前記第２閾値よりも高い値であることが好ましい。
【００１１】
本発明では、受信制御部は、受信指示部の指示に応じて、測位受信処理および測時受信処理のいずれかを実行する。この際、受信制御部は、測位受信処理の実行指示に応じて、電池残量が第１閾値以上の場合は測位受信処理を実行し、第１閾値未満の場合は測位受信処理を実行しない。また、受信制御部は、測時受信処理の実行指示に応じて、電池残量が第２閾値以上の場合は測時受信処理を実行し、第２閾値未満の場合は測時受信処理を実行しない。
これにより、例えば、測時受信処理よりも消費電力が大きい測位受信処理が、第１閾値よりも低い電池残量の場合に実行されることによるシステムダウンを防止できる。また、測時受信処理が、第２閾値よりも低い電池残量の場合に実行されることによるシステムダウンを防止できる。
また、第２閾値を設定することにより、電池残量が第１閾値未満かつ第２閾値以上であり、測位受信が許可されない場合でも、測時受信を実施することができる。これにより、例えば、システムダウン防止のために、測時受信処理よりも消費電力が大きい測位受信処理用の第１閾値のみを設定する場合と比べて、測時受信処理の実施機会を増大させることができる。
【００１２】
本発明の電子時計において、前記受信処理の実行中は、受信中であることを表示し、前記受信処理が許可されない場合は、受信禁止状態であることを表示する受信状態表示部を備えることが好ましい。
【００１３】
本発明では、受信状態表示部を参照することによって受信処理が実行されているかや、受信禁止状態であるかを容易に視認できる。このため、受信処理が実行されている場合は、衛星信号を受信しやすい場所で、姿勢を維持する旨の注意を促すことができ、受信処理の成功率を向上させることができる。また、電源電圧が低下していることにより受信処理が実施されなかったため、充電後に再び受信処理を実行する必要があることを、使用者に知らせることができる。
【００１４】
本発明の電子時計において、温度と閾値とを対応付けた温度閾値情報が記憶された記憶部を備え、前記受信制御部は、前記温度検出部で検出された前記温度と、前記温度閾値情報とに基づいて検出した前記温度に対応する閾値を取得し、前記電池残量と前記閾値を比較して受信制御を行うことが好ましい。
【００１５】
本発明では、記憶部は、温度と閾値とを対応付けた温度閾値情報を記憶し、受信制御部は、温度検出部で検出された温度と、記憶されている温度閾値情報とに基づいて、温度に対応する閾値を取得する。
このような構成では、記憶部に予め記憶された温度閾値情報を参照することにより、温度に応じた閾値を容易に取得することができる。また、電源部の電圧特性が、電源部の設計変更に応じて変更されたり、経時変化によって変化したりした場合でも、温度閾値情報を更新することにより、現在の電圧特性に応じた温度閾値情報に更新することにより、受信処理を許可するか否かの判定を適切に実施できる。また、電圧特性に応じた温度閾値情報への更新も容易である。
【００１６】
本発明の電子時計は、衛星信号を受信する受信部と、駆動電力を供給する電源部と、前記電源部の電池残量を検出する電池残量検出部と、温度を検出する温度検出部と、前記電池残量および前記温度に応じた状態情報を表示する状態情報表示部と、前記衛星信号を受信する受信処理を実行する受信制御部と、前記電池残量検出部で検出された前記電池残量、および前記温度検出部で検出された前記温度に応じた前記状態情報を前記状態情報表示部に表示させる表示制御部と、を備えることを特徴とする。
【００１７】
ここで、状態情報とは、例えば、検出された電池残量および温度において、受信処理が許可されるか否かの情報や、電子時計が駆動可能な持続時間情報や、電池残量が低下して充電が必要な状態であることを示す情報等である。
本発明では、状態情報表示部は、表示制御部の制御に基づいて、状態情報を表示可能に構成される。表示制御部は、検出された電池残量および温度に応じた状態情報を、状態情報表示部に表示させる。
このような構成では、電池残量や温度に応じて、電子時計の状態情報を表示させることができる。例えば、処理の内容に応じて充電が必要な場合は、これを予め使用者に知らせることができ、利便性を向上させることができる。また、使用者は、処理の内容に応じて充電が必要と判断した場合は、予め充電を実施することにより、当該処理（例えば受信処理）の実施機会を増大させることができる。
【００１８】
本発明の電子時計において、前記状態情報は、前記受信処理の実施が許可される状態である受信許可状態情報と、前記受信処理が禁止される状態である受信禁止状態情報と、を含み、前記表示制御部は、前記電池残量検出部で検出された前記電池残量が、前記温度検出部で検出された前記温度に対して設定された閾値以上の場合は、前記状態情報表示部に前記受信許可状態情報を表示させ、前記電池残量が前記閾値未満の場合は、前記状態情報表示部に前記受信禁止状態情報を表示させることが好ましい。
【００１９】
本発明では、状態情報表示部は、表示制御部の制御に基づいて、受信許可状態情報および受信禁止状態情報を含む状態情報を表示可能に構成される。表示制御部は、電池残量検出部で検出された電池残量が、温度検出部で検出された温度に対して設定された閾値以上の場合は、受信許可状態情報を表示させ、電圧閾値未満の場合は、受信禁止状態情報を表示させる。
このような構成では、温度の低下に応じて受信処理による電圧降下量が増大することを考慮して、受信処理を許可する閾値を温度に応じて設定するこができる。このため、温度が変化した場合でも、受信禁止状態であり、受信処理によるシステムダウンのおそれがあることを予め表示させることができ、システムダウンを防止できる。
また、例えば、想定される使用温度範囲の低温域でもシステムダウンを防止可能な所定の閾値が設定されている場合と比べて、当該低温域よりも高い温度域において、閾値をより低い値に設定することができ、高い温度域における受信許可情報の表示機会を増やすことができ、ひいては、受信機会を増やすことができる。
また、使用者は、受信処理を実施する前に、受信処理が許可されるか否かを確認することができる。このため、例えば、受信処理が許可されることを確認した後、衛星信号の受信に適した場所に移動して、電子時計に受信処理を実施させることができ、利便性を向上させることができる。
【００２０】
本発明の電子時計において、前記受信制御部は、前記衛星信号に基づいて時刻情報を取得する測時受信処理と、前記衛星信号に基づいて位置情報を算出する測位受信処理とを実行可能であり、前記受信許可状態情報は、前記測位受信処理が許可される測位許可状態情報と、前記測時受信処理が許可される測時許可状態情報と、を含み、前記表示制御部は、前記電池残量検出部で検出された前記電池残量が、前記温度検出部で検出された前記温度に対して前記測位受信処理用として設定された第１閾値以上の場合は、前記測位許可状態情報を表示させ、前記電池残量が、前記第１閾値未満、かつ、前記温度に対して前記測時受信処理用として設定された第２閾値以上の場合は、前記測時許可状態情報を表示させ、前記電池残量が、前記第２閾値未満の場合は、前記受信禁止状態情報を表示させることが好ましい。
【００２１】
本発明では、受信制御部は、測位受信処理および測時受信処理のいずれかを実行可能に構成される。また、表示制御部は、電池残量が第１閾値以上の場合は測位許可状態情報を表示させ、第１閾値未満でかつ第２閾値以上の場合は測時許可状態情報を表示させ、第２閾値未満の場合は受信禁止状態情報を表示させる。
これにより、検出された電池残量と温度とに応じて実施が許可された受信処理の種類や、受信処理が禁止されていることを、使用者に知らせることができる。従って、使用者は、例えば、受信処理の種類に応じて充電が必要であるか否かを判断することができ、充電が必要な場合は、予め充電させることもでき、利便性を向上させることができる。
また、受信処理の種類に応じて閾値が設定されているので、測時受信処理よりも消費電力が大きい測位受信処理が、第１閾値よりも低い電池残量の場合に実行されることによるシステムダウンを防止できる。
また、第２閾値を設定することにより、電池残量が第１閾値未満かつ第２閾値以上であり、測位受信が許可されない場合でも、測時受信が許可されることを表示できる。これにより、例えば、システムダウン防止のために、測時受信処理よりも消費電力が大きい測位受信処理用の第１閾値のみを設定する場合と比べて、測時受信処理の実施機会を増大させることができる。
【００２２】
本発明の電子時計の制御方法は、衛星信号を受信する受信部と、駆動電力を供給する電源部と、前記電源部の電池残量を検出する電池残量検出部と、温度を検出する温度検出部と、前記衛星信号の受信指示を行う受信指示部と、前記受信指示部の指示に応じて前記衛星信号を受信する受信処理を実行する受信制御部と、を備える電子時計の制御方法であって、前記温度検出部が、前記温度を検出するステップと、前記電池残量検出部が、前記電池残量を検出するステップと、前記受信制御部が、前記電池残量検出部で検出された前記電池残量が、前記温度検出部で検出された前記温度に対して設定された閾値以上の場合は、前記受信処理を実行し、前記電池残量が、前記閾値未満の場合は、前記受信処理を実行しないステップと、を実施することを特徴とする。
この電子時計の制御方法においても、前記電子時計と同じ作用効果を奏することができる。
【００２３】
本発明の電子時計の制御方法は、衛星信号を受信する受信部と、駆動電力を供給する電源部と、前記電源部の電池残量を検出する電池残量検出部と、温度を検出する温度検出部と、前記電池残量および前記温度に応じた状態情報を表示する状態情報表示部と、前記衛星信号を受信する受信処理を実行する受信制御部と、前記電池残量検出部で検出された前記電池残量、および前記温度検出部で検出された前記温度に応じた前記状態情報を前記状態情報表示部に表示させる表示制御部と、を備える電子時計の制御方法であって、前記温度検出部が、前記温度を検出するステップと、前記電池残量検出部が、前記電池残量を検出するステップと、前記表示制御部が、前記温度検出部で検出された前記温度、および前記電池残量検出部で検出された前記電池残量に応じた前記状態情報を前記状態情報表示部に表示させるステップと、を実施することを特徴とする。
この電子時計の制御方法においても、前記電子時計と同じ作用効果を奏することができる。
【図面の簡単な説明】
【００２４】
【図１】本発明の第１実施形態に係る電子時計を示す概略図である。
【図２】前記電子時計の平面図である。
【図３】前記電子時計の概略断面図である。
【図４】前記電子時計の回路構成を示すブロック図である。
【図５】前記電子時計の制御部の構成を示すブロック図である。
【図６】第１実施形態の受信処理を示すフローチャートである。
【図７】受信処理実施時の二次電池の電池電圧の変化を示すグラフである。
【図８】受信処理実施時の二次電池の電池電圧の変化を示すグラフである。
【図９】第１実施形態の受信処理における測時受信処理を示すフローチャートである。
【図１０】第２実施形態の受信処理を示すフローチャートである。
【図１１】第３実施形態の受信処理を示すフローチャートである。
【図１２】第３実施形態の受信処理を示すフローチャートである。
【図１３】第３実施形態の受信処理における測位受信処理を示すフローチャートである。
【図１４】第４実施形態の電子時計の平面図である。
【図１５】第４実施形態の状態表示処理を示すフローチャートである。
【図１６】本発明の変形例における電子時計の平面図である。
【発明を実施するための形態】
【００２５】
［第１実施形態］
以下、本発明に係る第１実施形態を図面に基づいて説明する。なお、本実施形態では、電子時計１のカバーガラス１５側を表面側（上側）とし、裏蓋１２側を裏面側（下側）として説明する。
図１、２に示すように、電子時計１は、文字板２および指針３からなる時刻表示用の時刻表示部と、文字板２のサブダイヤル２Ａおよび指針４からなる情報表示部と、文字板２の日窓２Ｂおよび日車５からなるカレンダー表示部とを備える腕時計である。
【００２６】
文字板２は、ポリカーボネートなどの非導電性部材にて円板状に形成されている。文字板２には、時刻を表示するための目盛が表記されている。また、文字板２の３８秒位置には、時刻情報を取得する測時受信処理を実施している測時受信中であることを示す「１」が表記され、５２秒位置には、時刻情報および位置情報を取得する測位受信処理を実施している測位受信中であることを示す「４＋」が表記されている。また、文字板２の８秒位置には、受信に成功したことを示す「Ｙ」の文字が表記され、２２秒位置には、受信に失敗したことや、測時受信処理および測位受信処理が許可されなかったことを示す「Ｎ」の文字が表記されている。
【００２７】
サブダイヤル２Ａは文字板２の６時位置に設けられている。サブダイヤル２Ａの右半分には、曜日を示す「Ｓ、Ｍ、Ｔ、Ｗ、Ｔ、Ｆ、Ｓ」の文字が表記されている。サブダイヤル２Ａの左半分の８時方向（指針４の軸４Ａから見て８時方向）には、サマータイムが設定されていることを示す「ＤＳＴ」と、設定されていないことを示す「・」とが表記されている。さらに、サブダイヤル２Ａの左半分には電池残量を示す「Ｅ」、「Ｆ」の各文字と、これらの文字間に配置された三日月鎌状の目盛とが表記されている。従って、サブダイヤル２Ａおよび指針（小針）４からなる情報表示部は、時計のモードや曜日や電池残量等の情報を表示する。
【００２８】
日窓２Ｂは文字板２の３時位置に設けられている。文字板２には、図３に示すように、サブダイヤル２Ａ、日窓２Ｂの他、指針３の軸３Ａが挿通される貫通孔２Ｃと、指針４の軸４Ａが挿通される貫通孔２Ｄも形成されている。
指針３は、秒針３１、分針３２、時針３３を備えて構成される。指針３，４および日車５は、後述するステップモーターおよび歯車列を含む駆動機構を介して駆動される。
また、電子時計１にはリューズ６、ボタン７，８が設けられている。
【００２９】
電子時計１は、地球の上空を所定の軌道で周回している複数のＧＰＳ衛星Ｓなどからの衛星信号を受信して衛星時刻情報を取得し、内部時刻情報を修正できるように構成されている。
なお、図１に示すＧＰＳ衛星Ｓは、位置情報衛星の一例であり、地球の上空に複数存在している。現在は約３０個のＧＰＳ衛星が周回している。
【００３０】
［電子時計の外装構造］
図２、図３に示すように、電子時計１は、後述するムーブメント２０等を収容するケース１０を備える。ケース１０は、ケース本体１１と、裏蓋１２とを備える。
ケース本体１１は、円筒状の外装ケース１１１と、外装ケース１１１の表面側に設けられたベゼル１１２とを備える。
ベゼル１１２は、外周が外装ケース１１１の外周に連続するリング状に形成されている。そして、ベゼル１１２と外装ケース１１１とは、互いの対向面に形成された凹凸による嵌め合わせ構造あるいは両面粘着テープや接着剤等の手段により接続されている。なお、ベゼル１１２は、外装ケース１１１に対して回転可能に取り付けられていてもよい。
また、ベゼル１１２の内側には、ベゼル１１２によって保持されたカバー部材としてのカバーガラス１５が取り付けられている。
【００３１】
外装ケース１１１の裏面側には、外装ケース１１１の裏面側の開口を塞ぐ円板状の裏蓋１２が設けられている。裏蓋１２は、外装ケース１１１にねじ構造により接続される。
なお、本実施形態では、外装ケース１１１と裏蓋１２とは、別体で構成されているが、これに限らず、外装ケース１１１および裏蓋１２が一体化されたワンピースケースでもよい。
外装ケース１１１、ベゼル１１２、裏蓋１２には、ＢＳ（真鍮）、ＳＵＳ（ステンレス鋼）、チタン合金などの導電性の金属材料が利用される。
【００３２】
［電子時計の内部構造］
次に、電子時計１のケース１０に内蔵される内部構造について説明する。
図２、図３に示すように、ケース１０内には、文字板２の他、ムーブメント２０、平面アンテナ（パッチアンテナ）４０、日車５、ダイヤルリング１６等が収容される。
【００３３】
ムーブメント２０は、地板２１、地板２１に支持される駆動体２２、回路基板２３、二次電池２４、太陽電池パネル２５を備える。
地板２１は、プラスチック等の非導電性部材にて形成されている。地板２１は、駆動体２２を収容する駆動体収容部２１Ａと、日車５が配置される日車配置部２１Ｂと、平面アンテナ４０を収容するアンテナ収容部２１Ｃとを備える。
駆動体収容部２１Ａおよびアンテナ収容部２１Ｃは、地板２１の裏面側に設けられている。アンテナ収容部２１Ｃは、平面アンテナ４０の４つの側面に各々対向する４つの壁部２１４（図３には２つのみ図示）と、各壁部２１４から張り出して平面アンテナ４０の表面に対向する４つの被覆部２１５（図３には２つのみ図示）とを備える。さらに、各被覆部２１５間には、平面アンテナ４０のアンテナ電極４２の少なくとも一部と平面的に重なる貫通孔２１６が形成されている。なお、４つの壁部２１４は一体化して形成されており、４つの被覆部２１５も一体化して形成されている。
このアンテナ収容部２１Ｃは、平面位置が文字板２の１２時位置であるため、図２に示すように、平面アンテナ４０は１２時位置に配置されている。
【００３４】
駆動体２２は、地板２１の駆動体収容部２１Ａに収容され、時刻表示部、情報表示部、カレンダー表示部を駆動する。すなわち、駆動体２２は、指針３を駆動するステップモーターおよび歯車列を含む駆動機構２２１、指針４を駆動するステップモーターおよび歯車列を含む駆動機構２２２と、日車５を駆動するステップモーターおよび歯車列を含む駆動機構（図示略）等を含む。
【００３５】
回路基板２３は、表面が地板２１の裏面に当接され、ねじ等によって地板２１に固定されている。回路基板２３の表面側には、平面アンテナ４０が実装されている。また、回路基板２３の裏面側には、ＧＰＳ衛星Ｓから平面アンテナ４０が受信した衛星信号を処理する受信部５０（無線通信部）や、駆動機構２２１、２２２の制御を行う制御部６１などが実装されている。従って、平面アンテナ４０および受信部５０によって、衛星信号を位置情報衛星であるＧＰＳ衛星Ｓから受信する受信部が構成されている。
ここで、受信部５０および制御部６１は、平面アンテナ４０に対して、回路基板２３の反対側に配置されている。さらに、受信部５０や制御部６１は、シールド板２６で囲まれている。このため、平面アンテナ４０が受信する電波が、受信部５０および制御部６１が発生するノイズの影響を受けることを回避できる。
【００３６】
二次電池２４には、リチウムイオン電池が用いられる。二次電池２４は、駆動体２２、受信部５０、制御部６１等に電力を供給する。二次電池２４は、平面視において受信部５０および制御部６１と重ならずに回路基板２３の裏面側に設けられている。
【００３７】
太陽電池パネル２５は、光を通すために表面電極はＩＴＯ（Indium Tin Oxide）などの透明電極で形成されている。また、樹脂フィルムで構成されたベース上に、発電層としてアモルファスシリコン半導体の薄膜が形成されている。
ＧＰＳ衛星信号の周波数は、約１．５ＧＨｚであり、高周波であるため、電波時計で受信する長波の標準電波と異なり、ソーラーパネルの薄い透明電極でも電波は減衰し、アンテナ特性が低下する。このため、円板状に形成された太陽電池パネル２５は、平面アンテナ４０と平面視で重なる部分に切欠部が形成されている。このため、太陽電池パネル２５は、地板２１の表面側に配置され、平面アンテナ４０の表面側には配置されていない。従って、平面アンテナ４０は、太陽電池パネル２５の切欠部を通して電波を受信できる。
なお、太陽電池パネル２５には、文字板２の日窓２Ｂと平面的に重なる開口や、指針３，４の軸３Ａ，４Ａが挿通される孔が形成されている。
【００３８】
アンテナ収容部２１Ｃには、パッチアンテナ（マイクロストリップアンテナ）である平面アンテナ４０が配置される。平面アンテナ４０は、ＧＰＳ衛星Ｓからの衛星信号を受信するものである。この平面アンテナ４０の詳細については後述する。
【００３９】
地板２１の日車配置部２１Ｂには、リング状に形成され、表面に日付が表示されたカレンダー車である日車５が配置される。日車５は、プラスチック等の非導電性部材により形成されている。ここで、日車５は、平面視において、平面アンテナ４０の少なくとも一部と重なっている。なお、カレンダー車としては、日車に限らず、曜日を表示する曜車や、月を表示する月車などでもよい。
【００４０】
地板２１の表面側には、太陽電池パネル２５および日車５の表面側を覆って、文字板２が配置される。文字板２は、非導電性を有し、かつ、少なくとも一部の光を透過させる透光性を有するプラスチックなどの材料で形成されている。
ここで、平面視において平面アンテナ４０と重なる文字板２の表面に、略字等を設けることができる。この場合、平面アンテナ４０の受信性能を向上させるため、これらのパーツは、金属製ではなく、プラスチック等の非導電性部材にて形成することが好ましい。
また、文字板２は、透光性を有するため、時計の表面側から見て、文字板２の裏面側に配置された太陽電池パネル２５が透けて見える。このため、太陽電池パネル２５が配置されている領域と配置されていない領域とで、文字板２の色が違って見える。この色の違いが目立たないように、文字板２にはデザイン的なアクセントをつけてもよい。
さらに、太陽電池パネル２５に切欠部を形成したことで、切欠部に重なる部分の文字板２の色調が他の部分と違って見えることがある。それを防止するために太陽電池パネル２５と同色（例えば紺色や紫色）のプラスチックシートを太陽電池パネル２５の下に重ねてもよいし、太陽電池パネル２５全体を切り欠かずに、電波遮蔽する電極層を平面アンテナ４０と平面的に重なる部分のみ取り除いて、基材となる樹脂フィルム層を残して色調を合わせてもよい。
【００４１】
文字板２の表面側には、非導電性部材である合成樹脂にてリング状に形成されたダイヤルリング１６が設けられる。ダイヤルリング１６は、文字板２の周囲に沿って配置され、内周面が傾斜面（円錐面）とされ、この傾斜面には６０分割で指示目盛が印刷されている。ダイヤルリング１６は、ベゼル１１２によって文字板２側へ押しつけられて保持されている。
【００４２】
平面アンテナ４０は、平面視において、ケース本体１１（外装ケース１１１およびベゼル１１２）、太陽電池パネル２５とは重ならずに、非導電性部材にて形成された日車５、文字板２、カバーガラス１５と重なっている。すなわち、電子時計１では、平面アンテナ４０の時計表面側において、平面視で平面アンテナ４０と重なる部品はすべて非導電性部材にて形成されている。
このため、時計表面側から伝播されてくる衛星信号は、カバーガラス１５を透過した後、ケース本体１１または太陽電池パネル２５によって遮られることなく、文字板２、日車５、地板２１を透過して平面アンテナ４０に入射する。なお、指針３，４は平面アンテナ４０と重なる面積が小さいことから、金属製であっても無線電波の受信に支障ないが、非導電性部材であれば無線電波が遮断される影響を回避できて好ましい。
【００４３】
［平面アンテナの詳細］
ＧＰＳ衛星Ｓは、右旋円偏波で衛星信号を送信している。そのため、本実施形態の平面アンテナ４０は、円偏波特性に優れるパッチアンテナ（マイクロストリップアンテナともいう）で構成されている。
本実施形態の平面アンテナ４０は、セラミックの誘電体基材４１に導電性のアンテナ電極４２を積層したパッチアンテナである。
この平面アンテナ４０は、次のようにして製造できる。まず、比誘電率が６０〜１００程度のチタン酸バリウムを主原料にプレス機で目的の形に成形し、焼成を経てアンテナの誘電体基材４１となるセラミックスを完成する。誘電体基材４１の裏面（回路基板２３側の面）には、主に銀（Ag）等のペースト材をスクリーン印刷すること等で、アンテナのグランド（ＧＮＤ）となるＧＮＤ電極（図示略）を構成する。
誘電体基材４１の表面（地板２１、文字板２側の面）には、アンテナの周波数、受信する信号の偏波を決める放射アンテナ電極４２をＧＮＤ電極と同様な方法で構成する。アンテナ電極４２は、誘電体基材４１の表面よりも一回り小さく形成されており、誘電体基材４１の表面においてアンテナ電極４２の周囲には、アンテナ電極４２が積層されていない露出面が設けられる。
【００４４】
パッチアンテナが方形の場合は一辺が半波長で共振し、円形の場合は直径が約０．５８波長で共振するが、誘電体を使うと波長短縮効果で小形化できる。パッチアンテナの動作原理は、パッチ（アンテナ電極４２）の縁に沿った強い電界が、縁から空間へ向かって放射されるため、アンテナ近傍の電気力線は強くなり、近傍の金属や誘電体の影響を受けやすい。このため、ＧＰＳ受信においては、金属製の外装ケース１１１とアンテナ電極４２との距離は少なくとも３ｍｍ、理想的には４ｍｍ程度離す必要がある。
本実施形態では、平面アンテナ４０と、外装ケース１１１との間には、前記壁部２１４等が配置されており、平面アンテナ４０は外装ケース１１１の内周面から所定寸法以上、離間した位置に配置される。このため、平面アンテナ４０を金属製の外装ケース１１１に近づけることで生じる受信特性の劣化等を抑制でき、電子時計１に求められる受信性能を確保できる。
【００４５】
この平面アンテナ４０は、回路基板２３に実装され、回路基板２３の裏面の受信部５０であるアンテナＧＰＳモジュールに電気的に接続される。さらに、平面アンテナ４０のＧＮＤ電極を回路基板２３のグランドパターンを介して受信部５０のグランド部に導通させることで、回路基板２３はグランド板（グランドプレーン）として機能する。さらに、受信部５０のグランド部を、回路基板２３のグランドパターンを介して金属製の外装ケース１１１や裏蓋１２に導通することで、外装ケース１１１や裏蓋１２もグランドプレーンとして利用できる。
【００４６】
この平面アンテナ４０は、回路基板２３を地板２１に固定することで、アンテナ収容部２１Ｃに配置される。ここで、平面アンテナ４０は、1.54542ＧＨｚという高周波の信号
を受信するものであり、また、高誘電率のセラミックで誘電体基材４１を構成しているので、周囲の部品の影響を受けやすい。地板２１は、プラスチックではあるが、比誘電率が３〜４であり、特にアンテナ電極４２との間隔が約１．０ｍｍ以下になると受信周波数に影響する。すなわち、地板２１とアンテナ電極４２との間隔が僅かにばらつくだけでアンテナ周波数がシフトしてしまい、受信性能が劣化する。
【００４７】
このため、地板２１のアンテナ収容部２１Ｃにおいて、平面アンテナ４０のアンテナ電極４２に対向する面、つまり文字板２側の面には、図３に示すように、貫通孔２１６が形成されている。
本実施形態の貫通孔２１６は、アンテナ電極４２の全体と平面的に重なるように構成されている。すなわち、アンテナ電極４２は平面略矩形状に形成されているため、貫通孔２１６も電子時計１の表面側から見た平面視で矩形状に形成されている。
そして、平面矩形状の貫通孔２１６の一辺の寸法は、アンテナ電極４２の一辺の寸法に比べて大きく設定され、誘電体基材４１の一辺の寸法に比べて小さく設定されている。なお、本実施形態では、貫通孔２１６の各四辺の寸法は同一としていたが、平面長方形状に形成されて縦寸法および横寸法が異なる寸法とされていてもよい。
このようにアンテナ電極４２に平面的に重なる地板２１に貫通孔２１６を設けることで、アンテナ電極４２に対向し、かつ１．０ｍｍ以下で近接する地板２１（誘電体）が存在しなくなるので、アンテナ電極４２と誘電体である地板２１との間隔変動によってアンテナ周波数がシフトすることも抑制される。
【００４８】
一方、壁部２１４間の寸法は、平面アンテナ４０の誘電体基材４１が配置可能な寸法に設定されている。また、壁部２１４から突設される被覆部２１５は、誘電体基材４１の露出面に平面的に重なって配置されている。
そして、前記露出面と被覆部２１５との間には、スポンジなどで構成された緩衝材４７が配置されている。誘電体基材４１を緩衝材４７に接触させることで、平面アンテナ４０の時計厚さ方向の位置が設定されている。また、誘電体基材４１はセラミックで硬く欠けやすいが、緩衝材４７が介在されているため、誘電体基材４１が地板２１に衝突することを防止できる。このため、誘電体基材４１が地板２１にぶつかって破損することも防止できる。
【００４９】
また、平面アンテナ４０の文字板２側には、前記日車５の一部が配置される。この際、アンテナ電極４２と日車５とは、少なくとも被覆部２１５の厚さ寸法分は離れているので、日車５がアンテナ周波数のシフトに影響することもない。
【００５０】
［電子時計の回路構成］
図４は、電子時計１の回路構成を示す概略図である。
電子時計１は、図４に示すように、平面アンテナ４０と、フィルター（ＳＡＷ）３５と、受信部５０と、制御表示部６０と、電源供給部７０を含んで構成されている。
フィルター３５は、バンドパスフィルターであり、１．５ＧＨｚの衛星信号を通過させるものとなっている。また、平面アンテナ４０とフィルター３５との間に、受信感度を良好にするＬＮＡ（ローノイズアンプ）を別途組み込む構成としてもよい。
なお、フィルター３５が受信部５０内に組み込まれる構成としてもよい。
【００５１】
受信部５０は、フィルター３５を通過した衛星信号を処理するものであり、ＲＦ部（Radio Frequency：無線周波数）５１とベースバンド部５２を備える。
ＲＦ部５１は、ＰＬＬ回路５１１、ＶＣＯ（Voltage Controlled Oscillator）５１２、ＬＮＡ（Low Noise Amplifier）５１３、ミキサー５１４、ＩＦアンプ５１５、ＩＦフィルター５１６、ＡＤＣ（Ａ／Ｄ変換器）５１７等を備えている。
【００５２】
そして、フィルター３５を通過した衛星信号は、ＬＮＡ５１３で増幅された後、ミキサー５１４でＶＣＯ５１２の信号とミキシングされ、ＩＦ（Intermediate Frequency：中間周波数）にダウンコンバートされる。
ミキサー５１４でミキシングされたＩＦは、ＩＦアンプ５１５、ＩＦフィルター５１６を通り、ＡＤＣ（Ａ／Ｄ変換器）５１７でデジタル信号に変換される。
【００５３】
ベースバンド部５２は、ＤＳＰ（Digital Signal Processor）５２１、ＣＰＵ（Central Processing Unit）５２２、ＲＴＣ（リアルタイムクロック）５２３、ＳＲＡＭ（Static Random Access Memory）５２４を備えている。また、ベースバンド部５２には、温度補償回路付き水晶発振回路（ＴＣＸＯ）５３やフラッシュメモリー５４等も接続されている。
そして、ベースバンド部５２は、ＲＦ部５１のＡＤＣ５１７からデジタル信号が入力され、相関処理や測位演算等を行うことにより、衛星時刻情報や測位情報を取得できるようになっている。
なお、ＰＬＬ回路５１１用のクロック信号は、温度補償回路付き水晶発振回路（ＴＣＸＯ）５３から生成されるようになっている。
【００５４】
フラッシュメモリー５４には、測位情報（緯度データおよび経度データ）と時差データとを関連づけた時差データベースが記憶されている。なお、フラッシュメモリー５４の代わりにＥＥＰＲＯＭ（Electrically Erasable Programmable Read-Only Memory）を用い
てもよい。
また、本実施形態では、時差データベースを受信部５０のフラッシュメモリー５４に記憶していたが、制御表示部６０の制御部６１内にＥＥＰＲＯＭやフラッシュメモリーなどの不揮発性メモリーを設け、この不揮発性メモリーに時差データベースを記憶してもよい。
【００５５】
制御表示部６０は、制御部（ＣＰＵ）６１と、指針３，４等の駆動を実施する駆動回路６２と、水晶振動子６３と、時刻表示部および情報表示部等とを備えている。
制御部６１は、温度検出部６７と、ＲＴＣ６８と、記憶部６９と、を含んで構成されている。
温度検出部６７は、ケース１０内部に配置された制御部６１の周辺の温度を検出する。この温度検出部６７を用いることにより、例えば、ケース１０の外部に温度検出部が配置される場合よりも、電源供給部７０の温度をより適切に検出することができる。
ＲＴＣ６８は、水晶振動子６３から出力される基準信号を用いて、内部時刻情報を計時している。
記憶部６９は、受信部５０から出力される衛星時刻情報や測位情報を記憶する。
【００５６】
本実施形態の電子時計１は、上述のような受信部５０および制御表示部６０を備えていることで、ＧＰＳ衛星Ｓから受信した衛星信号に基づいて時刻表示を自動的に修正することができる。
【００５７】
電源供給部７０は、太陽電池パネル２５、充電制御回路７１、二次電池２４、第１レギュレーター７２、第２レギュレーター７３、電圧検出回路７４を含んで構成されている。
【００５８】
太陽電池パネル２５は、光が入射して発電すると、その光発電により得られる電力を、充電制御回路７１を通じて二次電池２４に供給して二次電池２４を充電する。
二次電池２４は、電源部に相当し、第１レギュレーター７２を介して制御表示部６０に駆動電力を供給し、第２レギュレーター７３を介して受信部５０に駆動電力を供給する。
電圧検出回路７４は、二次電池２４の電圧を定期的（例えば５〜１０秒毎）に検出し、制御部６１に出力する。従って、電圧検出回路７４によって、二次電池２４の電池残量を検出する電池残量検出部が構成されている。制御部６１は、電圧検出回路７４で検出された電池電圧が入力されるため、二次電池２４の電圧を把握して受信処理を制御できる。
【００５９】
［制御部の構成］
次に、図５に基づいて、制御部６１の構成について説明する。図５は、主に制御部６１において実行されるプログラムで実現される機能ブロックである。
制御部６１は、時刻情報修正部６１０と、表示制御部６２０と、受信指示部６３０と、電圧検出制御部６４０と、温度検出制御部６５０と、受信制御部６６０とを備える。
時刻情報修正部６１０は、受信部５０で受信した時刻情報を利用して内部時刻情報を修正する。
【００６０】
表示制御部６２０は、通常モードにおいては、内部時刻情報に基づいて駆動回路６２を制御し、指針３で時刻（時、分、秒）を表示する。また、表示制御部６２０は、内部時刻情報に基づいて駆動回路６２を制御し、指針４で曜日（日〜土）を表示する。
表示制御部６２０は、指針３，４の表示を受信制御状態に応じて制御する。具体的な制御方法は後述する。
【００６１】
受信指示部６３０は、所定の操作が実施された場合や、所定の条件を満たした場合に、受信処理の実施指示を行う。
受信指示部６３０は、例えば、ボタン７が押された時間が、第１設定時間（本実施形態では例えば３秒）以上かつ、第２設定時間（本実施形態では例えば６秒）未満の場合に、測時受信操作が行われたと判断し、測時受信処理の実施指示を行う。また、受信指示部６３０は、ボタン７が押された時間が、第２設定時間以上の場合に、測位受信操作が行われたと判断し、測位受信処理の実施指示を行う。
また、受信指示部６３０は、上述の手動による受信操作を検出した場合以外にも、所定条件を満たした場合に、測時受信処理の実施を指示する。この所定条件とは、例えば、所定の時間等の予め設定された自動受信タイミングになった場合や、太陽電池パネル２５による発電量が所定値以上となった場合である。
【００６２】
電圧検出制御部６４０は、電圧検出回路７４を作動して二次電池２４の電池電圧、つまり電池残量を検出する。電圧検出制御部６４０は、一定時間間隔で電圧検出回路７４を作動して電圧を検出する。
温度検出制御部６５０は、受信指示が検出された場合に、温度検出部６７を作動して温度を検出する。
【００６３】
受信制御部６６０は、受信許可判定部６６１と、測時受信制御部６６２と、測位受信制御部６６３と、受信成功判定部６６４とを備える。
受信許可判定部６６１は、受信指示が検出された場合に、検出された温度および二次電池２４の電池電圧に基づいて、受信処理を許可するか否かを判定する。受信処理を許可するか否かの判定方法については、後に詳述する。
【００６４】
測時受信制御部６６２は、受信部５０を制御して測時受信処理を行う。
測位受信制御部６６３は、受信部５０を制御して測位受信処理を行う。
受信成功判定部６６４は、測時受信制御部６６２による測時受信処理および測位受信制御部６６３による測位受信処理が成功したか否かを判定する。例えば、所定時間が経過してもＧＰＳ衛星Ｓを捕捉できない場合や、時刻情報や位置情報を取得できない場合に、受信処理が成功していないと判定する。また、測時受信処理時には、受信成功判定部６６４は、受信した衛星信号から取得した時刻情報（Ｚカウント）と、ＲＴＣ６８の時刻データとが整合するかを比較し、あまりにも差が大きい場合は、誤修正防止の確認のためにさらに６秒後の次のサブフレームのＺカウントを取得して比較したり、捕捉した衛星が複数あれば、各Ｚカウントを比較することなどして、時刻データの整合が取れたかを判定する。時刻情報修正部６１０は、受信成功判定部６６４で整合が取れたと判定された場合に、時刻修正を行う。
【００６５】
［受信処理手順］
次に、本実施形態において、受信処理として測時受信処理が実施される場合の処理について図６に基づいて説明する。
図６に示すように、受信指示部６３０は、前述のように所定の操作が実施された場合や、所定の条件を満たした場合に、測時受信処理の実施する旨の受信指示を温度検出制御部６５０に出力する（Ｓ１）。
Ｓ１で受信指示が出力されると、温度検出制御部６５０は、温度検出部６７を作動して温度を検出する（Ｓ２）。
【００６６】
次に、受信制御部６６０は、温度検出制御部６５０によって検出された温度と、電圧検出制御部６４０によって検出された電池電圧と、に基づいて、受信処理を許可するか否かを判定する。より具体的には、受信制御部６６０は、検出された温度に対して設定された電圧閾値と、検出された電池電圧とを比較し、電池電圧が電圧閾値以上の場合に受信処理を許可する。なお、温度に対応する電圧閾値に関する閾値データ（温度閾値情報）が、記憶部６９に予め記憶されている。受信制御部６６０は、当該閾値データを参照して閾値を取得する。
【００６７】
ここで、二次電池２４の内部抵抗が、温度の低下に応じて増大するため、受信処理による電圧降下量は、温度が低いほど大きくなる。このため、本実施形態では、温度閾値（例えば０℃）で区分される温度範囲のうち、温度閾値以上の第１温度範囲に対して第１電圧閾値（本発明の第１閾値に相当し、例えば３．６Ｖ）を設定し、温度閾値未満の第２温度範囲に対して第１電圧閾値よりも高い第２電圧閾値（本発明の第２閾値に相当し、例えば３．７Ｖ）を設定している。
なお、電圧閾値は、測時受信処理よりも消費電力が大きい測位受信処理を行っても二次電池２４の電圧が低下して制御部６１のシステムダウンが発生するおそれが無いレベルに設定されている。
【００６８】
図７および図８に、受信処理として測位受信処理を実施した際の、電池電圧の時間変化と、温度との関係の一例を示す。図７は、温度が２０℃、０℃、−２０℃の場合のそれぞれについて、図８は、温度が−２０℃の場合について例示している。また、図７は、受信処理の開始時の電池電圧が３．６Ｖの場合について、図８は、３．７Ｖの場合について例示している。
図７に示すように、受信処理開始時の電池電圧が３．６Ｖの場合、温度が０℃以上の場合では、測位受信処理を実施したとしても、システムダウンが発生しないシステム維持電圧（例えば１．８Ｖ）以上に、電池電圧を維持することができる。しかしながら、温度が−２０℃では、測位受信処理による電圧降下により電池電圧が、システム維持電圧を下回る。
一方、図８に示すように、受信処理開始時の電池電圧が３．７Ｖの場合、温度が−２０℃の場合でも、測位受信処理を実施したとしても、システム維持電圧以上に電池電圧を維持することができる。
以上から、本実施形態では、一例として、温度閾値を０℃に設定した場合、温度閾値以上の第１温度範囲に対して第１電圧閾値として３．６Ｖを採用し、温度閾値未満の第２温度範囲に対して第２電圧閾値として３．７Ｖを採用している。
【００６９】
図６に戻り、受信許可判定部６６１は、検出された温度が温度閾値以上か否かを判定する（Ｓ３）。
受信許可判定部６６１は、Ｓ３で検出された温度が温度閾値以上（ＹＥＳ）と判定すると、次に、記憶部６９に記憶された閾値データを参照し、検出された温度に対応する第１電圧閾値を取得する。そして、受信許可判定部６６１は、検出された電池電圧が、第１電圧閾値以上か否かを判定する（Ｓ４）。受信許可判定部６６１は、Ｓ４で電圧値が第１電圧閾値以上（ＹＥＳ）と判定すると受信処理を許可し、電圧値が第１電圧閾値未満（ＮＯ）と判定すると受信処理を禁止する。すなわち、受信許可判定部６６１は、第１温度範囲では、第１電圧閾値と電池電圧とを比較して、受信処理を許可するか否かを判定する。
【００７０】
Ｓ４で電圧値が第１電圧閾値以上（ＹＥＳ）と判定され、受信処理が許可されると、受信制御部６６０は、測時受信処理を実施する（Ｓ５）。測時受信処理Ｓ５については後述する。
Ｓ４で電圧値が第１電圧閾値未満（ＮＯ）と判定され、受信処理が禁止されると、受信制御部６６０による受信処理が実施されず、表示制御部６２０は、通常モードにおいて秒を指示していた秒針３１を移動し、受信処理が禁止されたことを示す受信禁止状態情報として「Ｎ」を表示させ（Ｓ６）、受信処理を終了させる。
【００７１】
一方、受信許可判定部６６１は、Ｓ３で温度が温度閾値未満（ＮＯ）と判定すると、次に、検出された電池電圧が、第２電圧閾値以上か否かを判定する（Ｓ７）。受信許可判定部６６１は、Ｓ７で電圧値が第２電圧閾値以上（ＹＥＳ）と判定すると、受信処理を許可し、電圧値が第２電圧閾値未満（ＮＯ）と判定すると、受信処理を禁止する。すなわち、受信許可判定部６６１は、第２温度範囲では、第２電圧閾値と電池電圧とを比較して、受信処理を許可するか否かを判定する。
【００７２】
Ｓ７で電圧値が第２電圧閾値以上（ＹＥＳ）と判定され受信処理が許可されると、受信制御部６６０は、測時受信処理を実施する（Ｓ５）。
Ｓ７で電圧値が第２電圧閾値未満（ＮＯ）と判定され受信処理が禁止されると、Ｓ６と同様に、表示制御部６２０は、秒針３１を移動して「Ｎ」を表示させ（Ｓ８）、制御部６１は、受信処理を終了する。
【００７３】
［測時受信処理］
以下、図６に示す測時受信処理Ｓ５について図９を参照して説明する。
測時受信制御部６６２は、受信部５０を作動させて測時受信を開始する（Ｓ５１）。
次に、表示制御部６２０は、受信部５０による測時受信処理が開始されると、測時受信中であることを秒針３１で指示する（Ｓ５２）。すなわち、表示制御部６２０は、測時受信処理中は、文字板２の３８秒位置に表示された「１」の記号を秒針３１で指示する。このため、秒針３１および文字板２は、測時受信中であることを表示する受信状態表示部を構成する。
【００７４】
次に、受信成功判定部６６４は、測時受信が成功したか否かを判定する（Ｓ５３）。
受信成功判定部６６４は、受信部５０によって時刻データ（Ｚカウント）が取得されたか否かを判断し、取得された場合に「ＹＥＳ」と判定し、取得されなかった場合に「ＮＯ」と判定する。
ここで、測時受信制御部６６２は、受信部５０を動作させて、少なくとも１つのＧＰＳ衛星Ｓを捕捉して衛星信号を受信し、ＧＰＳ衛星Ｓから６秒毎に送信されるＺカウント（時刻情報）を取得する。
また、受信成功判定部６６４は、例えば、測時受信処理開始から所定のタイムアウト時間（例えば、１〜２分）が経過しても衛星を捕捉できない場合に、「ＮＯ」と判定する。また、受信成功判定部６６４は、衛星を捕捉できた場合でも、時刻データを取得する前にタイムアウトになった場合に、「ＮＯ」と判定する。なお、ＧＰＳ衛星信号では、Ｚカウントは６秒間隔で受信できるため、タイムアウトになるまでにＺカウントを５回受信することができる。
【００７５】
Ｓ５３で受信成功（ＹＥＳ）と判定された場合、時刻情報修正部６１０は取得した時刻データに基づいて時刻情報を修正する（Ｓ５４）。
時刻情報修正部６１０が時刻情報を修正すると、表示制御部６２０は、修正した時刻情報に基づいて、駆動回路６２を介して指針３の表示を修正し、その後、通常運針に戻る（Ｓ５５）。
一方、Ｓ５３で受信不成功（ＮＯ）と判定された場合、測時受信制御部６６２による受信処理が終了され、内部時刻を表示し（Ｓ５６）、通常運針に戻る（Ｓ５５）。
以上により、測時受信操作が行われた場合の処理が終了する。
【００７６】
なお、本実施形態では一例として測時受信処理を実施される場合について説明したが、測位受信操作の検出に応じて測位受信処理が実施される場合も、測時受信処理の代りに測位受信処理を実施する以外は同様の処理が実施される。
【００７７】
［第１実施形態の作用効果］
受信制御部６６０は、温度検出部６７で検出された温度が温度閾値以上の場合に、電圧検出回路７４で検出された電池電圧が第１電圧閾値以上であれば受信処理を許可する。また、前記検出された温度が温度閾値未満の場合に、前記検出された電池電圧が第２電圧閾値以上であれば受信処理を許可する。このように、本実施形態では、受信制御部６６０は、温度に応じて設定された電圧閾値に基づいて、受信処理を実行するか否かを判定している。これにより、温度の低下に応じて二次電池２４の内部抵抗が増大し、受信処理による電圧降下量が増大しても、温度に応じたより適切な電圧閾値を設定することができ、システムダウンを確実に防止できる。
【００７８】
また、温度閾値以上の第１温度範囲と、温度閾値未満の第２温度範囲とのそれぞれに対して電圧閾値が設定されている。これにより、温度閾値未満の第２温度範囲でもシステムダウンを防止可能な第２閾値のみが設定されている場合と比べて、第２温度範囲よりも高温度範囲である第１温度範囲において、第２閾値よりも小さい第１閾値が設定することにより、実際に受信処理を許可できるにも関わらず、受信処理が実行されないことを抑制でき、受信機会を増やすことができる。
【００７９】
表示制御部６２０は、受信処理の実行中は、受信中であることを表示させ、受信処理が許可されない場合は、受信禁止状態であることを表示させる。これにより、受信処理が実行されているかや、受信禁止状態であるかを容易に視認できる。このため、受信処理が実行されている場合は、衛星信号を受信しやすい場所で、姿勢を維持する旨の注意を促すことができ、受信処理の成功率を向上させることができる。また、電源電圧が低下していることにより受信処理が実施されなかったため、充電後に再び受信処理を実行する必要があることを、使用者に知らせることができる。
【００８０】
記憶部６９は、検出された温度に対応する電圧閾値を取得するための閾値データ（温度閾値情報）を記憶し、受信制御部６６０は、検出された温度と、記憶されている閾値データとに基づいて、温度に対応する電圧閾値を取得する。このような構成では、記憶部６９に予め記憶された閾値データを参照することにより、温度に応じた電圧閾値を容易に取得することができる。また、二次電池２４の電圧特性が、二次電池２４の設計変更に応じて変更されたり、経時変化によって変化したりした場合でも、現在の電圧特性に応じた閾値データに更新することにより、受信処理を許可するか否かの判定を適切に実施できる。また、電圧特性に応じた閾値データへの更新も容易であり、メンテナンス性や汎用性を向上させることができる。
【００８１】
［第２実施形態］
次に、本発明の第２実施形態について図１０を参照して説明する。
第２実施形態の電子時計では、複数の温度閾値が設定され、複数の温度閾値によって区分される３つ以上の温度範囲のそれぞれに、電圧閾値が設定されている。そして、電子時計は、検出された電池電圧が、検出された温度に対応する電圧閾値よりも大きい場合に受信処理を実施する。
なお、以下の実施形態において、前述した他の実施形態と同一または同様の構成については、同一符号を付し、説明を省略または簡略する。
【００８２】
［受信処理手順］
以下、本実施形態においても、第１実施形態と同様に、受信処理として測時受信処理が実施される場合の処理について図１０に基づいて説明する。
本実施形態では、複数の温度閾値として第１温度閾値（例えば０℃）および第２温度閾値（−１０℃）が設定されている。そして、第１温度閾値以上の第１温度範囲に第１電圧閾値（例えば３．６Ｖ）、第１温度閾値未満かつ第２温度閾値以上の第２温度範囲に第２電圧閾値（例えば３．６５Ｖ）、および第２温度閾値未満の第３温度範囲に第３電圧閾値（例えば３．７Ｖ）がそれぞれ設定されている。すなわち、受信許可判定部６６１は、検出された温度が上記複数の温度範囲のいずれに該当するかを判断し、電池電圧が当該温度範囲に対して設定された電圧閾値以上の場合に受信処理を実施する。
【００８３】
図１０に示すように、受信指示部６３０は、前述のように所定の操作が実施された場合（手動受信タイミング）や、所定の条件を満たした場合（自動受信タイミング）に、測時受信処理の実施する旨の受信指示を温度検出制御部６５０に出力する（Ｓ１１）。
Ｓ１１で受信指示が出力されると、温度検出制御部６５０は、温度検出部６７を作動して温度を検出する（Ｓ１２）。
受信許可判定部６６１は、検出された温度が第１温度閾値（例えば０℃）以上か否かを判定する（Ｓ１３）。
【００８４】
Ｓ１３で温度が第１温度閾値以上（ＹＥＳ）と判定されると、制御部６１は、図６に示す第１実施形態における受信処理の手順におけるＳ４以降の処理と同様の処理として、Ｓ１４以降の処理を実施する。すなわち、受信許可判定部６６１は、検出された電圧値が第１電圧閾値以上か否かを判定し（Ｓ１４）、Ｓ１４で電圧値が第１電圧閾値以上（ＹＥＳ）と判定されると、受信制御部６６０は、測時受信処理を実施する（Ｓ５）。一方、Ｓ１４で電圧値が第１電圧閾値未満（ＮＯ）と判定されると、表示制御部６２０は、受信禁止状態情報を表示し、制御部６１は受信処理を終了する（Ｓ１５）。
【００８５】
一方、受信許可判定部６６１は、Ｓ１３で温度が第１温度閾値未満（ＮＯ）と判定すると、次に、検出された温度が第２温度閾値（例えば−１０℃）以上か否かを判定する（Ｓ１６）。
Ｓ１６で温度が第２温度閾値以上（ＹＥＳ）と判定されると、図６に示す第１実施形態における受信処理の手順におけるＳ７以降の処理と略同様の処理として、Ｓ１７以降の処理を実施する。なお、本実施形態では、第２電圧閾値は、例えば３．６５Ｖに設定されている。すなわち、受信許可判定部６６１は、検出された電圧値が第２電圧閾値以上か否かを判定し（Ｓ１７）、Ｓ１７で電圧値が第２電圧閾値以上（ＹＥＳ）と判定されると、受信制御部６６０は、測時受信処理を実施する（Ｓ５）。一方、Ｓ１７で電圧値が第２電圧閾値未満（ＮＯ）と判定されると、表示制御部６２０は、受信禁止状態情報を表示し、制御部６１は受信処理を終了する（Ｓ１８）。
【００８６】
一方、受信許可判定部６６１は、Ｓ１６で温度が第２温度閾値未満（ＮＯ）と判定すると、次に、検出された電池電圧が第３電圧閾値（例えば３．７Ｖ）以上か否かを判定する（Ｓ１９）。
そして、Ｓ１９で電圧値が第２電圧閾値以上（ＹＥＳ）と判定されると、受信処理が許可されると、受信制御部６６０は、測時受信処理を実施する（Ｓ５）。
Ｓ１９で電圧値が第２電圧閾値未満（ＮＯ）と判定され受信処理が禁止されると、受信制御部６６０による受信処理が実施されず、表示制御部６２０は、通常モードにおいて秒を指示していた秒針３１を移動し、受信処理が禁止されたことを示す受信禁止状態情報として「Ｎ」を表示させ（Ｓ２０）、制御部６１は受信処理を終了する。
【００８７】
［第２実施形態の作用効果］
本実施形態では、３つの温度範囲のそれぞれに電圧閾値を設定し、受信制御部６６０は、検出された電池電圧が、検出された温度に応じた電圧閾値以上の場合に受信処理を許可する。これにより、上述のように、２つの温度範囲のそれぞれに電圧閾値が設定されている場合や、温度に関わらず１つの電圧閾値が設定されている場合と比べて、受信処理による処理負荷（電圧降下量）の温度変化に応じた、より適切な受信処理の許可判定を実施することができる。すなわち、使用が想定される温度範囲を複数の温度範囲に区分した際には、より高い温度範囲では、電圧閾値をより小さく設定することができる。従って、例えば、検出された温度において受信処理を実施可能な電池電圧が、当該温度に対して設定されている電圧閾値よりも低い場合に、実際に受信処理を許可できるにも関わらず受信処理が許可されず、受信機会が減少することを抑制でき、受信機会を増やすことができる。
【００８８】
［第３実施形態］
次に、本発明の第３実施形態について図１１から図１３を参照して説明する。
第３実施形態の電子時計では、測時受信処理および測位受信処理のそれぞれに異なる電圧閾値が設定され、実施対象の受信処理の種類に応じた電圧閾値を用いて、受信処理を許可するか否かが判定される点で、第１実施形態と相違する。
【００８９】
［受信処理手順］
以下、本実施形態の受信処理の手順について図１１および図１２を参照して説明する。
本実施形態では、一つの温度閾値（例えば０℃）が設定されている。また、温度閾値によって区分される第１温度範囲（０℃以上）および第２温度範囲（０℃未満）の各温度範囲に、測時受信処理および測位受信処理のそれぞれに対する電圧閾値が設定されている。
すなわち、下記表１に一例を示すように、測時受信処理を許可する電圧閾値（第２閾値）として、第１温度範囲に対して第１測時電圧閾値（例えば３．５５Ｖ）が、第２温度範囲に対して第２測時電圧閾値（例えば３．６５Ｖ）が設定されている。また、測位受信処理を許可する電圧閾値（第１閾値）として、第１温度範囲に対して第１測位電圧閾値（例えば３．６Ｖ）が、第２温度範囲に対して第２測位電圧閾値（例えば３．７Ｖ）が設定されている。
受信許可判定部６６１は、検出された電池電圧が、受信処理の種類および検出温度に応じた電圧閾値以上の場合に受信処理を実施する。
【００９０】
【表１】
0006540351.tif 000002
【００９１】
図１１に示すように、受信指示部６３０は、受信処理を開始するか否かを判定する（Ｓ２１）。受信指示部６３０は、前述のように所定の操作が実施された場合や、所定の条件を満たした場合に、Ｓ２１でＹＥＳと判定し、それ以外の場合は、ＮＯと判定し同判定を繰り返す。
受信指示部６３０は、Ｓ２１で受信処理開始と判定すると（ＹＥＳ）、実施対象の受信処理が測時受信処理であるか否かを判定する（Ｓ２２）。なお、前述のように所定の操作が実施された場合（手動受信タイミング）や、所定の条件を満たした場合（自動受信タイミング）に、Ｓ２１で受信処理開始（ＹＥＳ）と判定され、Ｓ２２で実施対象の受信処理が測時受信処理（ＹＥＳ）と判定される。
【００９２】
Ｓ２２で実施対象の受信処理が測時受信処理（ＹＥＳ）と判定されると、制御部６１は、図６に示す第１実施形態のＳ２以降の処理と同様の処理として、Ｓ２３以降の処理を実施する。すなわち、温度検出制御部６５０は、温度検出部６７を作動して温度を検出する（Ｓ２３）。そして、検出された温度が温度閾値以上の場合では（Ｓ２４：ＹＥＳ）、検出された電池電圧が第１測時電圧閾値以上と判定された際に（Ｓ２５：ＹＥＳ）、測時受信処理が実施される（Ｓ５）。一方、電池電圧が、第１測時電圧閾値未満と判定された際に（Ｓ２５：ＮＯ）、受信禁止状態情報を表示させ、受信処理が終了される（Ｓ２６）。また、検出された温度が温度閾値未満の場合では（Ｓ２４：ＮＯ）、検出された電池電圧が第２測時電圧閾値以上と判定された際に（Ｓ２７：ＹＥＳ）、測時受信処理が実施される（Ｓ５）。一方、電池電圧が第２測時電圧閾値未満と判定された際に（Ｓ２７：ＮＯ）、受信禁止状態情報を表示させ、受信処理が終了される（Ｓ２６）。
【００９３】
一方、例えば、ボタン７が押された時間が、第２設定時間以上の場合、すなわち、測位受信操作が行われた場合、Ｓ２２で実施対象の受信処理が測位受信処理（ＮＯ）と判定され、図１２に示すように、温度検出制御部６５０は、温度検出部６７を作動して温度を検出する（Ｓ２９）。
【００９４】
次に、受信制御部６６０は、検出された温度と、電圧検出制御部６４０によって予め検出された電池電圧と、に基づいて、測位受信処理を許可するか否かを判定する。なお、受信制御部６６０による測位受信処理を許可するか否かの判定処理は、参照する電圧閾値が異なる点以外は、測時受信処理の場合と略同様である。
【００９５】
すなわち、受信許可判定部６６１は、検出された温度が温度閾値以上か否かを判定する（Ｓ３０）。
受信許可判定部６６１は、Ｓ３０で検出された温度が温度閾値以上（ＹＥＳ）と判定すると、次に、検出された電池電圧が、第１測位電圧閾値以上か否かを判定する（Ｓ３１）。受信許可判定部６６１は、Ｓ３１で電池電圧が第１測位電圧閾値以上（ＹＥＳ）と判定すると、測位受信処理を許可し、受信制御部６６０は、測位受信処理を実施する（Ｓ６０）。測位受信処理Ｓ６０については後述する。
一方、受信許可判定部６６１は、Ｓ３１で電池電圧が第１測位電圧閾値未満（ＮＯ）と判定すると、測位受信処理を禁止する。
そして、表示制御部６２０は、通常モードにおいて秒を指示していた秒針３１を移動し、受信処理が禁止されたことを示す受信禁止状態情報として「Ｎ」を表示させ、制御部６１は、受信処理を終了させる（Ｓ３２）。
【００９６】
一方、受信許可判定部６６１は、Ｓ３０で検出された温度が温度閾値未満（ＮＯ）と判定すると、次に、検出された電池電圧が、第２測位電圧閾値以上か否かを判定する（Ｓ３３）。受信許可判定部６６１は、Ｓ３３で電池電圧が第２測位電圧閾値以上（ＹＥＳ）と判定すると、測位受信処理を許可し、受信制御部６６０は、測位受信処理を実施する（Ｓ６０）。
一方、受信許可判定部６６１は、Ｓ３３で電池電圧が第２測位電圧閾値未満（ＮＯ）と判定すると、測位受信処理を禁止する。
そして、表示制御部６２０は、Ｓ３２と同様に受信禁止状態情報として「Ｎ」を表示させ、制御部６１は、受信処理を終了させる（Ｓ３４）。
【００９７】
［測位受信処理］
以下、図１２に示す測位受信処理Ｓ６０について図１３を参照して説明する。
測位受信処理が許可されると、測位受信制御部６６３は、測位受信を開始する（Ｓ６１）。
測位受信制御部６６３は、受信部５０を作動させて、測位を行うために必要な所定数（少なくとも３個、通常は４個）以上のＧＰＳ衛星Ｓを捕捉して衛星信号を受信し、衛星軌道データ（エフェメリス）を取得する。また、測時受信制御部６６２は、受信部５０を作動させて、ＧＰＳ衛星Ｓから６秒毎に送信されるＺカウント（時刻情報）を取得する。
なお、受信部５０は、衛星軌道データを取得した場合、当該衛星軌道データに基づいて測位計算を行って測位データを算出し、算出された測位データに対応する時差情報を、フラッシュメモリー５４に記憶された時差データベースから読み出し、制御部６１に出力する。
【００９８】
次に、表示制御部６２０は、測位受信処理が開始されると、測位受信中であることを秒針３１で指示する（Ｓ６２）。すなわち、表示制御部６２０は、測位受信処理中は、文字板２の５２秒位置に表示された「４＋」の記号を秒針３１で指示する。このため、秒針３１および文字板２は、測位受信中であることを表示する受信状態表示部を構成する。
【００９９】
次に、受信成功判定部６６４は、測位受信が成功したか否かを判定する（Ｓ６３）。
受信成功判定部６６４は、受信部５０によって衛星軌道データおよび時刻情報（Ｚカウント）が取得されたか否かを判断し、取得された場合に「ＹＥＳ」と判定し、取得されていない場合に「ＮＯ」と判定する。例えば、受信成功判定部６６４は、測位受信処理開始から所定のタイムアウト時間が経過しても衛星を捕捉できない場合や、測位計算用のタイムアウト時間を経過した場合に「ＮＯ」と判定する。
【０１００】
Ｓ６３で受信成功（ＹＥＳ）と判定された場合、時刻情報修正部６１０は、受信部５０から時差情報を取得する（Ｓ６４）。
時刻情報修正部６１０は、取得した時差情報を用いて時刻情報を修正する（Ｓ６５）。
時刻情報修正部６１０が時刻情報を修正すると、表示制御部６２０は、修正した時刻情報に基づいて、駆動回路６２を介して指針３の表示を修正し、その後、通常運針に戻る（Ｓ６６）。
一方、Ｓ６３で受信不成功（ＮＯ）と判定された場合、測位受信制御部６６３による受信処理が終了され、内部時刻を表示する（Ｓ６７）。その後、制御部６１は、通常運針に戻る（Ｓ６６）。
以上により、測位受信処理が終了する。
【０１０１】
［第３実施形態の作用効果］
受信制御部６６０は、操作指示に応じて、測位受信処理および測時受信処理のいずれかを実行する。具体的には、受信制御部６６０は、測位受信処理の実施指示が出力された場合、電池電圧が、温度に応じた測位電圧閾値（第１閾値）以上の場合は測位受信処理を実行し、未満の場合は測位受信処理を実行しない。また、受信制御部６６０は、測時受信処理の実施指示が出力された場合、電池電圧が、温度に応じた測時電圧閾値（第２閾値）以上の場合は測時受信処理を実行し、未満の場合は測時受信処理を実行しない。この測時電圧閾値は、同一の温度に対して設定された測位電圧閾値よりも小さい。すなわち、測位電圧閾値は、同一の温度に対して設定された測時電圧閾値よりも大きい。
これにより、例えば、測時受信処理よりも消費電力が大きい測位受信処理が、測位電圧閾値よりも低い電池電圧の場合に実行されることによるシステムダウンを防止できる。また、測時受信処理が、測時電圧閾値よりも低い電池電圧の場合に実行されることによるシステムダウンを防止できる。
【０１０２】
また、測時電圧閾値を設定することにより、電池電圧が、測位電圧閾値未満であり、測位受信が許可されない場合でも、測時電圧閾値以上であれば、測時受信処理を実施することができる。これにより、例えば、システムダウン防止のために、測時受信処理よりも消費電力が大きい測位受信処理用の測位電圧閾値のみが設定される場合と比べて、測時受信処理の実施機会を増大させることができる。
【０１０３】
［第４実施形態］
次に、本発明の第４実施形態について図１４および図１５を参照して説明する。
第４実施形態の電子時計は、温度および電池電圧の検出結果に応じて電子時計の状態情報を表示させる状態情報表示部を備える点で、第１実施形態の電子時計と相違する。
【０１０４】
図１４に示すように、電子時計１Ａは、文字板２のサブダイヤル２Ｅおよび指針４Ｂを有し構成される状態情報表示部を備える。状態情報表示部は、検出された電池電圧および温度に応じた電子時計１Ａの状態情報として、例えば、実施可能な受信処理の種類や、充電せずに連続駆動可能な持続時間等の情報を表示する。
【０１０５】
サブダイヤル２Ｅには、状態情報に対応する文字「Ｌ０、Ｌ１、Ｌ２、Ｌ３、Ｌ４」が表記されている。各文字には、下記表２に一例を示すように、温度範囲および電池電圧の電圧範囲に応じた状態情報が設定されている。本実施形態では、文字「Ｌ０、Ｌ１、Ｌ２、Ｌ３、Ｌ４」は、それぞれ許可される受信処理の種類、および電池残量に関する情報を示す。温度および電池電圧の検出結果に応じて、文字「Ｌ０、Ｌ１、Ｌ２、Ｌ３、Ｌ４」のいずれかが指針４Ｂで指示されることにより、当該検出結果に応じた状態情報が、状態報表示部に表示される。例えば、温度が０℃以上、かつ、電池電圧が３．６Ｖ以上３．７Ｖ未満の場合、Ｌ１が表示される。
なお、文字Ｌ２〜Ｌ４は、測時受信処理および測位受信処理が許可されていることを示す受信許可状態情報、かつ測位許可状態情報に相当する。また、文字Ｌ１は、測位受信処理は禁止されているものの測時受信処理が許可されていることを示す受信許可状態情報、かつ測時許可状態情報に相当し、測位受信処理に関しては受信禁止状態情報に相当する。また、文字Ｌ０は、測時受信処理および測位受信処理が禁止されていることを示す受信禁止状態情報に相当する。
【０１０６】
【表２】
0006540351.tif 000003
【０１０７】
表示制御部６２０（図５参照）は、温度検出部６７によって検出された温度、および電圧検出回路７４によって検出された電池電圧に基づいて、状態情報表示部の指針４Ｂを移動させ、温度および電池電圧の検出結果に対応する状態情報を表示させる。
なお、温度範囲および電池電圧の電圧範囲に応じた状態情報を判定するための状態判定データは、記憶部６９に記憶されている。表示制御部６２０は、当該状態判定データを参照して、温度および電池電圧に応じた状態情報を、状態情報表示部に表示させる。
【０１０８】
［状態表示処理手順］
以下、状態表示処理の手順について図１５を参照して説明する。
通常運針の状態において、電圧検出制御部６４０は、電圧監視タイミングか否かを判定する（Ｓ７１）。電圧検出制御部６４０は、Ｓ７１で「ＮＯ」と判定した場合は、同判定を繰り返し実行する。なお、電圧監視タイミングは、例えば電圧検出制御部６４０における所定の電圧検出タイミング（例えば５〜１０秒毎）である。
【０１０９】
Ｓ７１で電圧監視タイミングである（ＹＥＳ）と判定された場合は、温度検出制御部６５０は、温度検出部６７を作動して温度を検出する（Ｓ７２）。
表示制御部６２０は、記憶部６９に記憶された状態判定データを参照し、Ｓ７２で検出された温度に対応する状態判定閾値（インジケータ閾値）を取得する（Ｓ７３）。
ここで、状態判定閾値は、温度および電池電圧の検出結果に応じて、Ｌ０〜Ｌ４の５つの状態情報のうちのいずれを表示させるかを判定するための電池電圧の閾値である。状態判定閾値は、下記表３に一例を示すように、複数の温度範囲のそれぞれに設定され、状態判定データとして記憶部６９に予め記憶されている。
【０１１０】
【表３】
0006540351.tif 000004
【０１１１】
表３に示すように、各閾値は、それぞれ表２に示す各温度範囲における電圧範囲の下限値が設定されている。
本実施形態では、０℃以上の第１温度範囲と、−１０℃以上０℃未満の第２温度範囲と、−１０℃未満の第３温度範囲のそれぞれについて、状態判定閾値が設定されている。
また、電池電圧が第１閾値以上の場合、状態Ｌ４に相当する。また、電池電圧が第１閾値未満かつ第２閾値以上の場合、状態Ｌ３に相当する。また、電池電圧が第２閾値未満かつ第３閾値以上の場合、状態Ｌ２に相当する。また、電池電圧が第３閾値未満かつ第４閾値以上の場合、状態Ｌ１に相当する。また、電池電圧が第４閾値未満の場合、状態Ｌ０に相当する。各閾値は、二次電池２４の内部抵抗の増大に応じて、低い温度範囲程、大きい値が設定されている。
【０１１２】
Ｓ７３で温度に応じた状態判定閾値が取得されたら、電圧検出制御部６４０は、電圧検出回路７４を作動して電池電圧を検出する（Ｓ７４）。
表示制御部６２０は、Ｓ７３で取得した状態判定閾値のうちの第１閾値と、Ｓ７３で検出された電池電圧とを比較し、当該電池電圧が第１閾値以上か否かを判定する（Ｓ７５）。例えば、Ｓ７２で検出された温度が第１温度範囲に含まれる場合、第１温度範囲に対して設定された状態判定閾値のうちの第１閾値（３．９Ｖ）と、電池電圧とを比較する。
【０１１３】
表示制御部６２０は、Ｓ７５で温度が第１閾値以上（ＹＥＳ）と判定すると、指針４Ｂを移動させてＬ４を指示し、状態情報表示部にＬ４を表示させる（Ｓ７６）。
一方、表示制御部６２０は、Ｓ７５で温度が第１閾値未満（ＮＯ）と判定すると、次に、電池電圧が第２閾値以上か否かを判定する（Ｓ７７）。
表示制御部６２０は、Ｓ７７で温度が第２閾値以上（ＹＥＳ）と判定すると、指針４Ｂを移動させて状態情報表示部にＬ３を表示させる（Ｓ７８）。
一方、表示制御部６２０は、Ｓ７７で温度が第２閾値未満（ＮＯ）と判定すると、次に、電池電圧が第３閾値以上か否かを判定する（Ｓ７９）。
表示制御部６２０は、Ｓ７９で温度が第３閾値以上（ＹＥＳ）と判定すると、指針４Ｂを移動させて状態情報表示部にＬ２を表示させる（Ｓ８０）。
一方、表示制御部６２０は、Ｓ７９で温度が第３閾値未満（ＮＯ）と判定すると、次に、電池電圧が第４閾値以上か否かを判定する（Ｓ８１）。
表示制御部６２０は、Ｓ８１で温度が第４閾値以上（ＹＥＳ）と判定すると、指針４Ｂを移動させて状態情報表示部にＬ１を表示させる（Ｓ８２）。
一方、表示制御部６２０は、Ｓ８１で温度が第４閾値未満（ＮＯ）と判定すると、指針４Ｂを移動させて状態情報表示部にＬ０を表示させる（Ｓ８３）。
表示制御部６２０は、Ｓ７６、Ｓ７８、Ｓ８０、Ｓ８２、およびＳ８３で状態情報を表示させた後、Ｓ７１に戻り、以降の処理を繰り返し、判定結果に応じた状態情報を状態情報表示部に表示させる。
【０１１４】
［第４実施形態の作用効果］
表示制御部６２０は、検出された温度、かつ、検出された電池電圧残量に対応する電圧範囲に対応する状態情報を、状態情報表示部に表示させる。これにより、電池残量や温度に応じた電子時計の状態情報を表示させることができる。例えば、受信処理を実施するために電池残量が不足している場合、充電が必要であることを予め使用者に知らせることができ、利便性を向上させることができる。また、使用者は、表示内容に応じて充電が必要と判断した場合は、予め充電を実施することにより、電池残量不足により受信処理等の各種処理が実施されないことを抑制でき、各種処理の実施機会を増大させることができる。
【０１１５】
表示制御部６２０は、検出された電池電圧が、検出された温度に対して設定された電圧閾値以上の場合は、受信許可状態情報を表示させ、電圧閾値未満の場合は、受信禁止状態情報を表示させる。例えば、本実施形態では、電池電圧が第３閾値以上の場合は、測時および測位受信処理のいずれも実施可能であるので、受信許可状態情報として文字Ｌ２〜Ｌ４が表示される。一方、第３閾値未満の場合は、測位受信処理が禁止されるため受信禁止状態情報としてＬ０，Ｌ１が表示される。
このような構成では、また、温度の低下に応じて受信処理による電圧降下量が増大することを考慮して、前記電圧閾値を温度に応じて設定するこができる。このため、温度が変化した場合でも、受信処理によるシステムダウンのおそれがあり、受信禁止状態であることを予め表示させることができる。これにより、受信処理を実施するために充電を行う必要がある場合は、これを使用者に予め知らせることができる。従って、使用者は、受信処理を行う前に、予め充電を行わせることができるので、受信処理の実施機会を増大させることができる。
また、使用者は、受信処理を実施する前に、受信処理が許可されるか否かを確認することができる。このため、例えば、受信処理が許可されることを確認した後、衛星信号の受信に適した場所に移動して、電子時計に受信処理を実施させることができ、利便性を向上させることができる。
【０１１６】
表示制御部６２０は、電池電圧が測位受信処理が許可される電圧閾値である第３閾値以上の場合は、測位許可状態情報として文字Ｌ２〜Ｌ４のいずれかを表示させる。また、表示制御部６２０は、電池電圧が第３閾値未満で、かつ測時受信処理が許可される電圧閾値である第４閾値以上の場合は、測時許可状態情報として文字Ｌ１を表示させる。また、表示制御部６２０は、電池電圧が第４閾値未満の場合は、受信禁止状態情報として文字Ｌ０を表示させる。
これにより、検出された電池電圧と温度とに応じて実施が許可された受信処理の種類や、受信処理が禁止されていることを、使用者に知らせることができる。従って、使用者は、例えば、測位受信処理を実施する際に、充電が必要であるか否かを判断することができ、充電が必要な場合は、予め充電させることもでき、利便性を向上させることができる。
また、電池電圧が第３閾値未満の場合に、測位受信処理が禁止されることを表示することにより、測位受信処理が実行されることによるシステムダウンを防止できる。
また、測時受信処理が許可される第４閾値を設定することにより、測位受信処理が許可されない場合でも、測時受信処理が許可されることを表示できる。これにより、例えば、測時受信処理が許可される電圧閾値のみを設定する場合と比べて、測時受信処理の実施機会を増大させることができる。
【０１１７】
また、本実施形態では、状態情報表示部は、受信許可状態情報および受信禁止状態情報に加え、検出された電池電圧および温度に応じて、電子時計１Ａの持続時間に関する情報を表示する。これにより、温度に応じた持続時間を、使用者に知らせることができ、利便性を向上させることができる。
また、温度が低下することによって二次電池２４の内部抵抗が増大し、電力降下量が増大したとしても、充電が必要である場合は、これを予め使用者に知らせることができ、温度低下に伴うシステムダウンを防止することができる。
【０１１８】
［他の実施形態］
なお、本発明は前記実施形態に限定されず、本発明の要旨の範囲内で種々の変形実施が可能である。
例えば、前記第４実施形態では、状態情報として、実施が許可される受信処理の種類や、電池残量に関する情報を文字Ｌ０〜Ｌ４に対応させ、現在の状態に応じて、文字Ｌ０〜Ｌ４のいずれかを指針４Ｂによって指示することにより、状態情報を表示していた。しかしながら、本発明はこれに限定されず、図１６に示すように、電子時計が具体的な状態を表示可能な状態情報表示部を備えてもよい。
【０１１９】
図１６に示す電子時計１Ｂは、サブダイヤル９１および指針９２を有し構成される第１状態情報表示部と、サブダイヤル９３および指針９４を有し構成される第２状態情報表示部と、を備える。
これらのうち第１状態情報表示部は、状態情報として実施が許可されている受信処理の種類を表示する。すなわち、サブダイヤル９１には、受信処理の種類として、文字「Ｔ+Ｐ、Ｔ、Ｎ」が表記されている。「Ｔ+Ｐ」は、測時および測位受信処理の両方が許可されていることを示し、「Ｔ」は、測時受信処理のみが許可されていることを示し、「Ｎ」は、受信処理が禁止されていることを示す。文字「Ｔ+Ｐ、Ｔ、Ｎ」いずれかが指針９２によって指示されることにより、許可されている受信処理の種類が表示される。
【０１２０】
また、第２状態情報表示部は、状態情報として持続時間および充電警告を表示する。すなわち、サブダイヤル９３には、文字「２、１、０．５、Ｃ」が表記されている。「２」は、持続時間が２年であることを示し、「１」は、持続時間が１年であることを示し、「０.５」は、持続時間が半年であることを示す。また、「Ｃ」は、充電する必要があることを示す。例えば、電池電圧が、第３閾値未満の場合、第２状態情報表示部に「Ｃ」と表示されるように構成することにより、受信処理（少なくとも測位受信処理）が許可されていないことを報知することができる。
【０１２１】
このように、状態情報表示部として、温度および電池電圧に応じた電子時計１Ａの状態情報を具体的に表示させることにより、電子時計１Ａの現在の状態を認知し易くすることができる。例えば、使用者は、第１状態情報表示部を目視することにより、実施が許可された受信処理の種類を容易に認知できる。従って、使用者は、受信処理の実施前に、当該受信処理が実施許可されているか否かを判断でき、利便性を向上できる。
また、使用者は、第２状態情報表示部を目視することにより、連続駆動時間や充電が必要であることを容易に認知でき、利便性を向上できる。
【０１２２】
前記実施形態では、受信指示部としてのボタン７によって受信操作が実施される構成を例示したが、本発明はこれに限定されない。例えば、リューズ６やボタン８等の他の操作部材の操作によって受信操作が実施される構成としてもよいし、複数の操作部材の操作の組み合わせによって受信操作が実施される構成としてもよい。また、測時受信処理の実施指示を行うための操作部材や、測位受信処理の実施指示を行うための操作部材を別に設ける構成としてもよい。
【０１２３】
前記第１乃至第３実施形態では、文字板２に表示された「Ｎ」を秒針３１で指示することにより受信禁止状態情報を表示し、「１」を指示することにおり受信中であることを表示するように構成されたが、本発明はこれに限定されない。すなわち、受信禁止や受信中であることを意味する文字やマークを文字板２に別に設けてもよい。また、文字板２に、受信禁止や受信中であることを表示するためのサブダイヤルおよび指針を含む状態情報表示部を別に設けてもよい。
【０１２４】
前記実施形態では、２つまたは３つの温度範囲のそれぞれに対して電圧閾値を設定し、許可される受信処理の種類を判定していたが、本発明はこれに限定されない。
例えば、４つ以上の温度範囲のそれぞれに電圧閾値を設定してもよいし、温度毎に電圧閾値を設定してもよい。これにより、温度に応じて受信処理が可能か否かの判定をより適切に実施することができ、受信処理の実施機会をより確実に増大させることができる。
【０１２５】
前記第１乃至第３実施形態では、受信制御部６６０は、記憶部６９に予め記憶されている閾値データ（温度閾値情報）を参照して、温度に応じた電圧閾値を取得し、受信処理を許可するか否かを判定していた。また、第４実施形態では、受信制御部６６０は、記憶部６９に予め記憶されている状態判定データを参照して、温度に応じた状態判定閾値を取得し、状態を判定していた。しかしながら、本発明はこれに限定されない。例えば、上述のような判定を実施するための判定プログラムに、予め、電圧閾値や状態判定閾値を組み込み、当該判定プログラムを記憶部６９に記憶し、制御部６１において当該判定プログラムが実行される構成を採用してもよい。
また、温度検出部６７で検出された温度を変数として電圧閾値や状態判定閾値を算出するための算出用関数を、記憶部６９に記憶してもよい。
【０１２６】
前記第１乃至第３実施形態では、電圧検出制御部６４０は一定時間間隔で電圧検出回路７４を作動して電圧を検出していたが、受信処理が開始された際に、電圧検出制御部６４０が電圧検出回路７４を作動して電圧を検出してもよい。このように、受信処理の開始時に電圧を検出する構成とすれば、受信処理開始時の電池電圧（電池残量）をより正確に把握することができる。このため、受信制御部６６０は、直前に検出した二次電池２４の電圧に基づいて、受信処理を許可するか否かの判定や、持続時間の選択等を適切に実施できる。
【０１２７】
前記実施形態および変形例では、電子時計は、文字板２および指針３からなる時刻表示部を備えているが、本発明はこれに限定されない。電子時計は、液晶パネル等からなる時刻表示部を備えていてもよい。この場合、時刻表示部を駆動する駆動体は、液晶パネルを駆動する駆動部を備えて構成される。
また、この場合、電子時計は時刻表示機能を備えていればよく、時刻表示部は、時刻表示専用の表示部である必要はない。このような電子時計としては、ユーザーの腕に装着されて脈拍を計測する脈拍計や、ユーザーがランニングを行う際などにユーザーの腕に装着されて現在位置を計測して蓄積するＧＰＳロガー等のリスト型機器を例示できる。
【０１２８】
位置情報衛星の例として、ＧＰＳ衛星Ｓについて説明したが、これに限られない。例えば、位置情報衛星としては、ガリレオ（ＥＵ）、ＧＬＯＮＡＳＳ（ロシア）などの他の全地球的公航法衛星システム（ＧＮＳＳ）で利用される衛星が適用できる。また、静止衛星型衛星航法補強システム（ＳＢＡＳ）などの静止衛星や、準天頂衛星（みちびき）等の特定の地域のみで検索できる地域的衛星測位システム（ＲＮＳＳ）などの衛星も適用できる。
【符号の説明】
【０１２９】
１…電子時計、２Ｅ…サブダイヤル、３…指針、４，４Ｂ…指針、２４…二次電池、５０…受信部、６０…制御表示部、６１…制御部、６７…温度検出部、６９…記憶部、７４…電圧検出回路、９１…サブダイヤル、９２…指針、９３…サブダイヤル、９４…指針、６１０…時刻情報修正部、６２０…表示制御部、６３０…受信指示部、６４０…電圧検出制御部、６５０…温度検出制御部、６６０…受信制御部。
【図１】
0006540351.tif 000005
【図２】
0006540351.tif 000006
【図３】
0006540351.tif 000007
【図４】
0006540351.tif 000008
【図５】
0006540351.tif 000009
【図６】
0006540351.tif 000010
【図７】
0006540351.tif 000011
【図８】
0006540351.tif 000012
【図９】
0006540351.tif 000013
【図１０】
0006540351.tif 000014
【図１１】
0006540351.tif 000015
【図１２】
0006540351.tif 000016
【図１３】
0006540351.tif 000017
【図１４】
0006540351.tif 000018
【図１５】
0006540351.tif 000019
【図１６】
0006540351.tif 000020